(57)【特許請求の範囲】
【請求項１】
鉛直方向に積層されて鉛直方向上方から下方への押圧荷重を受ける複数の部材と、
前記複数の部材にまたがって鉛直方向に延在する第１平面部と、前記第１平面部から曲げ部を介して延設された第２平面部とを有する連結具と、
を備え、
前記第１平面部は、鉛直方向に積層された前記部材のうち鉛直方向の最上段より下段の前記部材に締結され、
前記第２平面部は、鉛直方向に積層された前記部材のうち鉛直方向の最上段の前記部材の上面に締結される、
ことを特徴とする連結構造。
【請求項２】
前記部材は、厚み方向が鉛直方向に直交し、
前記第１平面部と前記部材とは、前記第１平面部と前記部材とを前記厚み方向に貫通した締結部材によって締結される、
請求項１に記載の連結構造。
【請求項３】
構造物の屋内側と屋外側とを連通する開口部の屋外側の床部に配置され、かつ、幅方向における両端部が、前記開口部を形成する幅方向において離間して配置される一対の枠部材と屋内外方向においてそれぞれ対向し、複数の部材を鉛直方向に積層して構成される止水板と、
前記止水板の屋内側の側面のうち、少なくとも前記一対の枠部材と屋内外方向において対向する部分にそれぞれ設けられ、前記止水板が前記開口部の屋外側に配置された状態で、前記枠部材と前記止水板との間を止水する一対の第１止水部材と、
前記止水板の底面に設けられ、幅方向における両端部が前記一対の第１止水部材とそれぞれ連結され、前記止水板が前記開口部の屋外側に配置された状態で、前記床部と前記止水板との間を止水する第２止水部材と、
前記一対の枠部材に着脱自在にそれぞれ固定され、前記止水板を前記一対の枠部材に固定する一対の固定機構と、
前記一対の枠部材にそれぞれ対応して設けられ、前記止水板が前記一対の固定機構によって前記一対の枠部材に固定された状態で、前記止水板を鉛直方向の下方に押圧する一対の押圧機構と、
前記部材にまたがって鉛直方向に延在する第１平面部と、前記第１平面部から曲げ部を介して延設された第２平面部とを有する連結具と、
を備え、
前記第１平面部は、前記押圧機構が配設され、鉛直方向に積層された前記部材のうち鉛直方向の最上段より下段の前記部材に締結され、
前記第２平面部は、鉛直方向に積層された前記部材のうち鉛直方向の最上段の前記部材の上面に締結されている、
ことを特徴とする止水装置。
【請求項４】
幅方向における両端部が一対の枠部材とそれぞれ対向し、複数の部材を鉛直方向に積層して構成される止水板と、
前記一対の枠部材に着脱自在にそれぞれ固定され、前記止水板を前記一対の枠部材に固定する一対の固定機構と、
前記一対の枠部材にそれぞれ対応して設けられ、前記止水板が前記一対の固定機構によって前記一対の枠部材に固定された状態で、前記止水板を鉛直方向の下方に押圧する一対の押圧機構と、
前記部材にまたがって鉛直方向に延在する第１平面部と、前記第１平面部から曲げ部を介して延設された第２平面部とを有する連結具と、
を備え、
前記第１平面部は、前記押圧機構が配設され、鉛直方向に積層された前記部材のうち鉛直方向の最上段より下段の前記部材に締結され、
前記第２平面部は、鉛直方向に積層された前記部材のうち鉛直方向の最上段の前記部材の上面に締結されている、
ことを特徴とする止水装置。
【発明の詳細な説明】
【技術分野】
【０００１】
本発明は、連結構造および止水装置に関する。
【背景技術】
【０００２】
従来、豪雨、津波、河川の氾濫などの水害時に、外部である屋外からの氾濫水などの水は、構造物の開口部から内部である構造物内（屋内）に浸入するため、構造物の開口部に止水装置が設けられている。例えば、軽量化して取扱いを便利にした止水板が知られている（特許文献１）。この技術は、複数の部材（中空板体）を、長さを揃え、かつ、その上下の面板部同士をつき合わせにして平面状に並べるとともに、この両者のつき合わせの間にシール材を介挿してこの状態でネジの締め付けで部材同士を一体に連結結合して止水板を形成するものである。
【先行技術文献】
【特許文献】
【０００３】
【特許文献１】特開２０１５−０４８６７６号公報
【発明の概要】
【発明が解決しようとする課題】
【０００４】
ところで、止水板は、開口部においてその配置位置の床面に対して鉛直方向上方から下方に押圧されて固定されている。このため、止水板は、鉛直方向上方から下方への押圧荷重を一体に連結された複数の部材で適切に受ける必要がある。
【０００５】
本発明は、上記の事情に鑑みてなされたものであって、鉛直方向上方から下方への押圧荷重を適切に受けることができる連結構造および止水装置を提供することを目的とする。
【課題を解決するための手段】
【０００６】
上記目的を達成するために、本発明に係る連結構造は、鉛直方向に積層されて鉛直方向上方から下方への押圧荷重を受ける複数の部材と、前記複数の部材にまたがって鉛直方向に延在する第１平面部と、前記第１平面部から曲げ部を介して延設された第２平面部とを有する連結具と、を備え、前記第１平面部は、鉛直方向に積層された前記部材のうち鉛直方向の最上段より下段の前記部材に締結され、前記第２平面部は、鉛直方向に積層された前記部材のうち鉛直方向の最上段の前記部材の上面に締結される、ことを特徴とする。
【０００７】
また、上記連結構造において、前記部材は、厚み方向が鉛直方向に直交し、前記第１平面部と前記部材とは、前記第１平面部と前記部材とを前記厚み方向に貫通した締結部材によって締結される、ものとすることができる。
【０００８】
また、本発明に係る止水装置は、構造物の屋内側と屋外側とを連通する開口部の屋外側の床部に配置され、かつ、幅方向における両端部が、前記開口部を形成する幅方向において離間して配置される一対の枠部材と屋内外方向においてそれぞれ対向し、複数の部材を鉛直方向に積層して構成される止水板と、前記止水板の屋内側の側面のうち、少なくとも前記一対の枠部材と屋内外方向において対向する部分にそれぞれ設けられ、前記止水板が前記開口部の屋外側に配置された状態で、前記枠部材と前記止水板との間を止水する一対の第１止水部材と、前記止水板の底面に設けられ、幅方向における両端部が前記一対の第１止水部材とそれぞれ連結され、前記止水板が前記開口部の屋外側に配置された状態で、前記床部と前記止水板との間を止水する第２止水部材と、前記一対の枠部材に着脱自在にそれぞれ固定され、前記止水板を前記一対の枠部材に固定する一対の固定機構と、前記一対の枠部材にそれぞれ対応して設けられ、前記止水板が前記一対の固定機構によって前記一対の枠部材に固定された状態で、前記止水板を鉛直方向の下方に押圧する一対の押圧機構と、前記部材にまたがって鉛直方向に延在する第１平面部と、前記第１平面部から曲げ部を介して延設された第２平面部とを有する連結具と、を備え、前記第１平面部は、前記押圧機構が配設され、鉛直方向に積層された前記部材のうち鉛直方向の最上段より下段の前記部材に締結され、前記第２平面部は、鉛直方向に積層された前記部材のうち鉛直方向の最上段の前記部材の上面に締結されている、ことを特徴とする。
また、本発明に係る止水装置は、幅方向における両端部が一対の枠部材とそれぞれ対向し、複数の部材を鉛直方向に積層して構成される止水板と、前記一対の枠部材に着脱自在にそれぞれ固定され、前記止水板を前記一対の枠部材に固定する一対の固定機構と、前記一対の枠部材にそれぞれ対応して設けられ、前記止水板が前記一対の固定機構によって前記一対の枠部材に固定された状態で、前記止水板を鉛直方向の下方に押圧する一対の押圧機構と、前記部材にまたがって鉛直方向に延在する第１平面部と、前記第１平面部から曲げ部を介して延設された第２平面部とを有する連結具と、を備え、前記第１平面部は、前記押圧機構が配設され、鉛直方向に積層された前記部材のうち鉛直方向の最上段より下段の前記部材に締結され、前記第２平面部は、鉛直方向に積層された前記部材のうち鉛直方向の最上段の前記部材の上面に締結されている、ことを特徴とする。
【発明の効果】
【０００９】
本発明に係る連結構造および止水装置は、鉛直方向上方から下方への押圧荷重を適切に受けることができる、という効果を奏する。
【図面の簡単な説明】
【００１０】
【図１】図１は、実施形態１に係る止水装置の概略構成を表す正面図である。
【図２】図２は、図１に示された止水装置を表す部分拡大正面図である。
【図３】図３は、図１に示された止水装置を表す断面図である。
【図４】図４は、図１に示された止水装置の止水板を表す部分拡大平面図である。
【図５】図５は、図１に示された止水装置を表す側面図であり、止水板の立位状態を示す。
【図６】図６は、図１に示された止水装置を表す側面図であり、止水板の傾斜状態を示す。
【図７】図７は、図１に示された止水装置の押圧機構と固定機構とを表す部分拡大斜視図である。
【図８】図８は、図１に示された止水装置の押圧機構と固定機構と保持機構とを表す部分拡大斜視図である。
【図９】図９は、図１に示された止水装置を表す分解斜視図である。
【図１０】図１０は、図９に示された止水装置を組み付けた状態を示す斜視図である。
【発明を実施するための形態】
【００１１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１２】
図１は、実施形態１に係る止水装置の概略構成を表す正面図である。図１に示す実施形態の止水装置１は、開口部Ｏから構造物Ｓの内部に水が浸入することを防止するものである。開口部Ｏは、構造物Ｓの壁部Ｗなどに形成され、構造物Ｓの一方の空間側（例えば、屋外側）と他方の空間側（例えば、屋内側）とを連通するように形成される。なお、防止とは、阻止や抑制などの意味を含むものとする。
【００１３】
このような構造物Ｓの開口部Ｏには、開閉体としてシャッターや開閉扉が配置されていることが多い。例えば、地下駐車場の入口や、店舗の入口等にもシャッターや開閉扉が配置されていることが多い。シャッターは、隙間が多い構造であるため、ゲリラ豪雨や洪水時のように想定以上の降水量となるとシャッターの隙間を介して浸水して施設が被害に遭う可能性がある。また、開閉扉は、扉間および各扉と開口部との間に隙間があるため、同様に施設が被害に遭う可能性がある。
【００１４】
図１に示す実施形態の止水装置１は、ビル，家屋，倉庫等の構造物を含む構造物Ｓに形成された開口部Ｏを開放あるいは閉塞する開閉体（開閉扉）２を通して構造物Ｓの内部に水が浸入することを防止するものである。
【００１５】
なお、以下の説明では、水平方向に沿った方向であって後述する枠体３の一対の縦枠部材（方立）３１が向かい合う方向を「幅方向」という。また、上流側（屋外側）から下流側（屋内側）に向かう方向を「屋内外方向」という。また、枠体３の一対の縦枠部材３１が延在する方向を「上下方向」という。ここで、屋内側とは、水の浸入を防止、すなわち、水の浸入を阻止や抑制したい側であり、屋外側とは、浸入可能性のある水が流れてくる側のことである。なお、屋外側や屋内側とは、水が浸入する可能性がある場合の上流側や下流側を意味する便宜上の文言である。本発明は、例えば廊下等の通路のような家屋や部屋等の概念が必ずしも明確にならない場所に配置された扉に対しても適用できる。ここで、「幅方向」とは屋内外方向と直交し、一対の枠部材が離間して配置される方向であり、「上下方向」とは屋内外方向および幅方向と直交する方向である。
【００１６】
開閉扉２は、図１に示すように、枠体３の屋内側に配置され、幅方向にスライド可能に支持された両開き式の一対の扉２１を有する。開閉扉２は、扉２１が開口部Ｏを閉塞させる閉塞位置と、開口部Ｏを開放させる開放位置とに亘って枠体３に対して幅方向にスライドすることで、開口部Ｏを開放あるいは閉塞する。具体的に、開閉扉２は、一対の扉２１が互いに近付いて開口部Ｏを閉塞し、一対の扉２１が互いに離間して開口部Ｏを開放する。このような扉２１の移動は、手動でなされても、モータ等の駆動装置によって自動でなされてもよい。また、開閉扉２が後述する止水板４と接触しないため、開閉扉２は、止水板４を開口部Ｏに配置した状態で開閉可能である。
【００１７】
扉２１は、図示しないガイドレールによって案内される。ガイドレールは、開口部Ｏの上下両端に配置され、壁部Ｗの表面と平行である。扉２１の上下方向両端部は、それぞれガイドレールの溝部に挿入されている。溝部は、開閉方向、すなわち、幅方向に延在しており、扉２１を幅方向にスライド自在に案内する。扉２１の幅方向の両端には、扉２１よりも厚い扉側縦方立２１ａが配置されている。また、扉２１の下端部には、扉２１よりも厚い扉側幅木２１ｂが配置されている。扉側縦方立２１ａの厚みは、扉側幅木２１ｂの厚みと等しい。なお、本発明でいう床面Ｆとは、説明上分かりやすくするための便宜上の表現であって、通常の床面Ｆのみならず、コンクリート面や地面等の開口部Ｏの下方に位置する面を総称する。
【００１８】
枠体３は、開口部Ｏの周囲の壁部Ｗよりも厚く、防錆性を有する金属材で構成されている。枠体３は、開口部Ｏの周囲を囲むように構造物Ｓに配置されている。枠体３は、左右一対の縦枠部材（方立）３１と、上枠部材３２と、下枠部材（幅木）３３とを含んで構成される。一対の縦枠部材３１と上枠部材３２と下枠部材３３とは、それぞれ板状の金属材により中空状の断面形状に形成されている。
【００１９】
縦枠部材３１は、開口部Ｏの幅方向の両端部に一対が配置され、上下方向に延在している。一対の縦枠部材３１は、開閉扉２よりも屋外側に配置されている。一対の縦枠部材３１は、幅方向において開口部Ｏの空間部分を挟んで対向する対向面３１ａを有している。上枠部材３２は、開口部Ｏの上部に配置されている。下枠部材３３は、開口部Ｏと隣接する壁部Ｗの下部において床面Ｆの上方に配置されている。上枠部材３２および下枠部材３３は、幅方向に延在している。一対の縦枠部材３１の上端部と上枠部材３２の両端部とは、開口部Ｏの内面側にて連結されている。また、一対の縦枠部材３１の下端部と下枠部材３３の一端部とは、連結されている。このように構成された枠体３は、全体として開口部Ｏに対応した形状である。
【００２０】
止水板４は、浸水時、屋外側からの水圧によって屋内側、すなわち、縦枠部材３１に押圧されて押し付けられる。止水板４は、開口部Ｏの下部の領域を閉塞することが可能な幅および高さを有する直方体状である。止水板４は、人が跨ぐことで開閉扉２を介して構造物Ｓの出入りが可能である。止水板４は、開口部Ｏの幅、すなわち、対向する縦枠部材３１間の幅よりも大きな幅で、人が跨ぐことができる高さ、具体的には例えば、数１０ｃｍに設定されている。止水板４は、開口部Ｏの床面Ｆから数１０ｃｍの高さを閉塞し、浸水時に屋内側への水の浸入を防止する。この止水板４は、屋外側の床面Ｆに配置される。また、止水板４は、持ち運び自在な重量であり、浸水時の水圧に耐え得る剛性を有している。止水板４は、例えば、アルミニウム、アルミニウム合金あるいはステンレスなど、軽量で強度の高い材料で構成されている。
【００２１】
止水板４は、図２に示すように、上段止水板４１と中段止水板４２と下段止水板４３と、一対の側面部材４４とを一体に連結して構成されている。本実施形態における止水板４は、上段止水板４１と下段止水板４３との間に複数段の中段止水板４２が配置されている場合について説明するが、中段止水板４２の数は１段でもよい。このようにして止水板４は、中段止水板４２の段数を変えることにより、立位状態における上下方向の高さを調整することができる。なお、止水板４は、上段止水板４１と中段止水板４２と下段止水板４３と側面部材４４との連結部を介して屋内側に水が浸入しないように止水されている。
【００２２】
上段止水板４１は、止水板４の上下方向における上方側端部を構成するものである。上段止水板４１は、アルミを含む防錆性を有する軽量の金属板を中空の筒状に加工して形成されている。より詳しくは、上段止水板４１は、図３に示すように、屋内側面４１ａと屋内側面４１ａと対向する屋外側面４１ｂと上面４１ｃと底面とを有する。上段止水板４１は、幅方向における上段止水板４１の幅方向の両端部まで連続する内部空間として、空間部４１ｄが形成されている。空間部４１ｄには、上方側端部を構成する部分にビス止め部４１ｅが形成されている。ビス止め部４１ｅは、上段止水板４１の幅方向の両端部まで延在し、かつ側面部材４４を介して挿入されるビスＢ１（図４参照）が螺合するものである。
【００２３】
中段止水板４２は、図２に示すように、止水板４の上下方向における中央部を構成するものであり、上段止水板４１の下方側に配置され、上段止水板４１と上下方向において隣り合うものである。本実施形態において、中段止水板４２は、４段が配置されている。中段止水板４２は、アルミを含む防錆性を有する軽量の金属板を中空の筒状に加工して形成されている。より詳しくは、中段止水板４２は、図３に示すように、屋内側面４２ａと屋内側面４２ａと対向する屋外側面４２ｂと上面と底面とを有する。中段止水板４２は、中段止水板４２の幅方向の両端部まで連続する内部空間として、空間部４２ｃが形成されている。空間部４２ｃは、上方側端部を構成する部分に下方側に突出してビス止め部４２ｄが形成されている。ビス止め部４２ｄは、中段止水板４２の幅方向の両端部まで延在し、かつ側面部材４４を介して挿入されるビスＢ１（図４参照）が螺合するものである。また、上段止水板４１と隣接する中段止水板４２は、厚み方向に貫通する貫通孔を有している。この貫通孔は、後述する締結部材１１が挿通するものである。
【００２４】
下段止水板４３は、図２に示すように、止水板４の上下方向における下方側端部を構成するものであり、中段止水板４２が上方側に配置され、中段止水板４２と上下方向において隣り合うものである。下段止水板４３は、アルミを含む防錆性を有する軽量の金属板を中空の筒状に加工して形成されている。より詳しくは、下段止水板４３は、図３に示すように、屋内側面４３ａと屋内側面４３ａと対向する屋外側面４３ｂと上面と底面とを有する。下段止水板４３は、中段止水板４２の幅方向の両端部まで連続する内部空間として、第１空間部４３ｃと第２空間部４３ｄと第３空間部４３ｅとが形成されている。第１空間部４３ｃは、上下方向において閉塞されている。第１空間部４３ｃは、上方側を構成する部分に下方側に突出したビス止め部４３ｆおよび下方側を構成する部分に上方側に突出したビス止め部４３ｇが形成されている。第２空間部４３ｄは、第１空間部４３ｃの下方側に位置し、下方側が開口して形成されている。第３空間部４３ｅは、第１空間部４３ｃの下方側に位置し、下方側が開口して形成されている。第２空間部４３ｄおよび第３空間部４３ｅは、厚み方向において隣り合って形成されている。本実施形態における下段止水板４３では、第３空間部４３ｅの開口を介して、後述する底面止水ゴム（第２止水部材）６が第３空間部４３ｅに挿入された状態で保持される。
【００２５】
一対の側面部材４４は、図２に示すように、上段止水板４１と中段止水板４２と下段止水板４３との幅方向における両端部をそれぞれ閉塞するものであり、連結された上段止水板４１と中段止水板４２と下段止水板４３との幅方向における両端部の上方側端部から下方側端部まで閉塞するものである。側面部材４４は、図４に示すように、空間部４４ａが形成されている。空間部４４ａは、幅方向における内側に開口が形成され、開口を介して、上段止水板４１と中段止水板４２と下段止水板４３との幅方向における端部が挿入されるものである。側面部材４４は、幅方向において上段止水板４１と中段止水板４２と下段止水板４３と対向する位置にビス孔４４ｃが形成されている。本実施形態におけるビス孔４４ｃは、上段止水板４１と中段止水板４２と下段止水板４３とに形成される各ビス止め部４１ｅ，４２ｄ，４３ｆ，４３ｇとそれぞれ幅方向において対向する位置に複数個形成されている。側面部材４４は、幅方向において上段止水板４１と中段止水板４２と下段止水板４３と対向する側に、側面止水部材４４ｄがそれぞれ形成されている。側面止水部材４４ｄは、弾性部材であり、弾性変形が大きい軟質ゴム、あるいは発泡ゴムなどである。側面止水部材４４ｄは、各ビス止め部４１ｅ，４２ｄ，４３ｆ，４３ｇと幅方向において対向する位置にそれぞれ貫通穴４４ｅが形成されている。側面止水部材４４ｄは、側面部材４４により上段止水板４１と中段止水板４２と下段止水板４３との幅方向における両端部をそれぞれ閉塞した状態で、上段止水板４１と中段止水板４２と下段止水板４３との幅方向における両端面と圧縮状態で接触している。
【００２６】
縦止水ゴム（第１止水部材）５は、図４に示すように、止水板４の屋内側面（屋内側の側面）４ａの幅方向の両端部に一対が配置されている。縦止水ゴム５は、屋内側面４ａにおいて幅方向の端部に、止水板４の短手方向（高さ方向）全長に亘って配置されている。縦止水ゴム５は、止水板４が枠体３に配置された状態で、止水板４と枠体３の縦枠部材３１との間に介在する。このとき、縦止水ゴム５は、縦枠部材３１に押圧されて弾性変形している。一対の縦止水ゴム５は、一対の縦枠部材３１に密着している。このため、一対の縦止水ゴム５は、止水板４と一対の縦枠部材３１の当接部との間を水が流れることを抑制する。すなわち、一対の縦止水ゴム５は、一対の縦枠部材３１において屋外側から屋内側に水が浸入することを抑制する。
【００２７】
底面止水ゴム６は、止水板４の床面Ｆと対向する面、すなわち、止水板４の底面に長手方向（幅方向）全長に亘って配置されている。底面止水ゴム６は、止水板４が枠体３に配置された状態で、止水板４と床面Ｆとの間に介在する。このとき、底面止水ゴム６は、床面Ｆに押圧されて弾性変形している。このため、底面止水ゴム６は、床面Ｆに密着している。このため、底面止水ゴム６は、止水板４と床面Ｆの当接部との間を水が流れることを抑制する。すなわち、底面止水ゴム６は、屋外側から屋内側に水が浸入することを抑制する。
【００２８】
押圧機構７は、図５に示すように、止水板４が床面Ｆに対して立位した状態（以下、「立位状態」という）において、止水板４を床面Ｆに押圧するものである。押圧機構７は、枠部材３１に固定された後述する固定機構８と止水板４との間で幅方向周りに回転自在に支持されるものである。押圧機構７は、枠部材３１に対応して止水板４の幅方向における端部に一対が配置される。押圧機構７は、後述する連結具１０の第１連結具１０Ａに固定されている。押圧機構７は、当接部７１と押圧部７２と回転軸７３とを備える。
【００２９】
当接部７１は、止水板４の立位状態において、屋内側面４ａに当接可能に構成されているものである。当接部７１には、止水板４の立位状態において、止水板４を縦枠部材３１に押圧する押圧力が作用する。また、当接部７１は、図６に示すように、止水板４が床面Ｆに対して傾斜した状態（以下、「傾斜状態」という）において、屋内側面４ａから離間するように構成されているものである。この当接部７１は、幅方向視において、屋内側面４ａと当接する側、すなわち、屋内外方向の屋外側が平面状に形成され、屋内側面４ａと当接する側と反対側、すなわち、屋内外方向の屋内側が屋内側に凸な曲面状に形成されている。当接部７１は、止水板４の立位状態における上下方向の下部に貫通孔（不図示）が形成されている。この貫通孔は、幅方向に貫通している。貫通孔は、後述する回転軸７３の軸部が回転自在に挿入されている。
【００３０】
押圧部７２は、止水板４を傾斜状態から立位状態とする際に、ユーザーによって床面Ｆ側に押圧される部分である。押圧部７２は、止水板４の立位状態において、止水板４の上下方向の上端より上方に位置する。押圧部７２は、当接部７１と一体に形成されている。押圧部７２は、止水板４の立位状態において、当接部７１の上方に位置する。より詳しくは、押圧部７２は、当接部７１とともに幅方向視において略くの字形に形成されている。押圧部７２は、止水板４の立位状態における上部、かつ、屋内側の端部にねじ孔（不図示）が形成されている。言い換えると、ねじ孔は、上記の略くの字形の形状の曲げ部近傍に形成されている。このねじ孔は、幅方向に貫通している。ねじ孔は、後述するノブ８５の軸部８５ａが螺合可能である。押圧部７２は、後述する保持機構９を係止するフック受具７２ａが配置されている。
【００３１】
回転軸７３は、押圧機構７を止水板４の屋内側の屋内側面４ａに対して幅方向周りに回転自在とする回転軸である。この回転軸７３により、当接部７１を有する押圧機構７は、止水板４に対して幅方向周りに回転自在に配置されている。回転軸７３は、後述する連結具１０を固定する締結部材１１よりも鉛直方向の上方に配置されている。
【００３２】
固定機構８は、一対の押圧機構７に対して幅方向周りに回転自在に支持され、一対の枠部材３１に着脱自在にそれぞれ固定されるものである。本実施形態における固定機構８は、止水板４に対して幅方向における位置を変化させることで、枠部材３１の幅方向において対向する対向面３１ａ（図５，図６参照）にそれぞれ接触するとともに、対向面３１ａを幅方向外側にそれぞれ押圧することで、枠部材３１にそれぞれ固定される。固定機構８は、図７，図８に示すように、接触部材８１と第１緩衝部材８２と第２緩衝部材８３と支持部材８４とノブ８５とを備える。
【００３３】
接触部材８１は、枠部材３１に接触するものである。本実施形態における接触部材８１は、上下方向視においてＬ字型の板材で形成されている。接触部材８１は、対向面３１ａと屋外側面３１ｂと接触する。
【００３４】
第１緩衝部材８２は、接触部材８１の対向面３１ａと対向する部分に配置される。第１緩衝部材８２は、接触部材８１と対向面３１ａとの間に介在する。
【００３５】
第２緩衝部材８３は、接触部材８１の屋外側面３１ｂと対向する部分に配置される。第２緩衝部材８３は、接触部材８１と屋外側面３１ｂとの間に介在する。
【００３６】
支持部材８４は、接触部材８１の幅方向において対向面３１ａ側と反対側に取り付けられている。支持部材８４は、屋内外方向視において、幅方向において接触部材８１側と反対側に向かって突出する凸型状に形成されており、接触部材８１との間で空間部８４ａが形成されている。支持部材８４は、厚み方向に貫通し、空間部８４ａと連通する挿入孔（不図示）が形成されている。
【００３７】
ノブ８５は、接触部材８１を幅方向周りに回転自在に支持するものである。ノブ８５は、軸部８５ａと把持部８５ｂとを有する。軸部８５ａは、棒状であり、外周面に雄ねじが形成されている。軸部８５ａの幅方向における両端部のうち、一方の端部、すなわち先端部が支持部材８４の挿入孔に挿入され、他方の端部が把持部８５ｂに固定されている。軸部８５ａは、押圧部７２のねじ孔に、先端部が幅方向における外側、すなわち枠部材３１と対向するように螺合されている。ノブ８５は、幅方向周りに回転することで、押圧部７２に対する幅方向における位置が変化する。軸部８５ａは、支持部材８４の空間部８４ａに位置している先端部に抜け止め部材８５ｃ（図２参照）が取り付けられている。これらにより、固定機構８は、押圧機構７に対して、幅方向周りに回転自在に支持され、枠部材３１に着脱自在にそれぞれ固定される。把持部８５ｂは、軸部８５ａを幅方向周りに回転させるものであり、ユーザーが把持するものである。
【００３８】
保持機構９は、一対の枠部材３１に対する止水板４の位置関係を保持するものである。より詳しくは、保持機構９は、止水板４を立位状態で保持することで、枠部材３１に対する止水板４の位置関係を保持するものである。本実施形態における保持機構９は、押圧機構７にそれぞれ対応して一対設けられており、上下方向視において、止水板４と押圧機構７との間の屋内外方向における距離が広がることを規制するものである。保持機構９は、後述する連結具１０の第２連結具１０Ｂに固定されている。保持機構９は、止水板４に対して押圧機構７と反対側、すなわち、屋外側面４ｂに取り付けられている。保持機構９は、レバー９１とアーム９２とを備える、いわゆるパチン錠である。
【００３９】
レバー９１は、アーム９２を幅方向周りに回転自在としたり、アーム９２を押圧機構７に係止した状態で保持したりするものである。レバー９１は、固定部と可動部とを備えている。固定部は、後述する連結具１０の第２連結具１０Ｂに固定されている。可動部は、第１回動軸９１ａによって固定部に対して幅方向周りに回転自在に支持されている。
【００４０】
アーム９２は、押圧機構７に係止するものである。本実施形態におけるアーム９２は、フック受具７２ａを係止するものである。アーム９２がフック受具７２ａと係止すると、押圧機構７の姿勢が固定される。アーム９２は、上下方向視において、屋内外方向に延在する略矩形状部材であり、屋内外方向における一方の端部に支持孔（不図示）が形成されている。支持孔は、幅方向に形成された貫通孔であり、第２回転軸９２ａが幅方向周りに回転自在に挿入されるものである。第２回転軸９２ａがレバー９１の固定部に幅方向に平行に固定されているので、アーム９２は、止水板４に対して幅方向周りに回転自在に支持されている。
【００４１】
連結具１０は、押圧機構７と保持機構９とが組み付けられている金具である。連結具１０は、止水板４の幅方向の両端部に対応して一対設けられている。連結具１０は、第１連結具１０Ａと第２連結具１０Ｂとを組み合わせて構成されている。
【００４２】
第１連結具１０Ａは、押圧機構７が組み付けられるものである。第１連結具１０Ａは、金属板を幅方向視においてＬ字型に加工して形成されている。より詳しくは、第１連結具１０Ａは、鉛直方向に沿った平面状の第１平面部１０Ａａと第１平面部１０Ａａから曲げ部を介して水平方向に沿って配置された平面状の第２平面部１０Ａｂとを有する。第１平面部１０Ａａは、図３に示すように、止水板４の上段止水板４１および中段止水板４２の屋内側面４１ａ，４２ａに沿って配置される。第１平面部１０Ａａは、押圧機構７が固定されている。第１平面部１０Ａａの鉛直方向の下部には、厚み方向に貫通する貫通孔が形成されている。貫通孔は、後述する締結部材１１が挿入されるものである。第２平面部１０Ａｂは、上段止水板４１の上面４１ｃに沿って配置される。第２平面部１０Ａｂは、図９に示すように、幅方向の中央部が切り欠かれた、上下方向視において凹型の平面に形成されている。第２平面部１０Ａｂは、厚み方向に貫通する一対のビス孔が形成されている。
【００４３】
第２連結具１０Ｂは、保持機構９が組み付けられるものである。また、第２連結具１０Ｂは、止水板４を挟んで第１連結具１０Ａと対向した状態で組み合わせて止水板４に組み付けられる。第２連結具１０Ｂは、金属板を幅方向視においてＬ字型に加工して形成されている。より詳しくは、第２連結具１０Ｂは、鉛直方向に沿った平面状の第１平面部１０Ｂａと第１平面部１０Ｂａから曲げ部を介して水平方向に沿って配置された平面状の第２平面部１０Ｂｂとを有する。第１平面部１０Ｂａは、図３に示すように、止水板４の上段止水板４１および中段止水板４２の屋外側面４１ｂ，４２ｂに沿って配置される。第１平面部１０Ｂａは、保持機構９が固定されている。第１平面部１０Ｂａの鉛直方向の下部には、第１平面部１０Ａａに形成された貫通孔と対向して、厚み方向に貫通する貫通孔が形成されている。貫通孔は、後述する締結部材１１が挿入されるものである。第２平面部１０Ｂｂは、上段止水板４１の上面４１ｃに沿って配置される。第２平面部１０Ｂｂは、図９に示すように、幅方向の中央部が屋内外方向の屋内側に突出した、上下方向視において凸型の平面に形成されている。この第２平面部１０Ｂｂの凸型の突出部は、第２平面部１０Ａｂの凹型の切欠部と係合するように構成されている。第２平面部１０Ｂｂは、厚み方向に貫通する一対のビス孔が形成されている。
【００４４】
締結部材１１は、止水板４の屋内側面４ａ，屋外側面４ｂをそれぞれ厚み方向に貫通して形成された貫通孔および連結具１０の第１平面部１０Ａａ，１０Ｂａに形成された貫通孔を貫通した状態で締結されている。本実施形態において、締結部材１１は、上段止水板４１と隣接する中段止水板４２の屋内側面４２ａ，屋外側面４２ｂをそれぞれ厚み方向に貫通して形成された貫通孔および連結具１０の第１平面部１０Ａａ，１０Ｂａに形成された貫通孔を貫通した状態で締結されている。このように締結部材１１を締結することにより、連結具１０が止水板４に取り付けられる。
【００４５】
位置決め部材１２は、図１に示すように、止水板４の立位状態において、止水板４の下部を一対の縦枠部材３１に固定するものである。具体的に、位置決め部材１２は、一対の枠部材３１に対して突っ張らせることで、止水板４を枠部材３１に対して固定するものである。位置決め部材１２は、止水板４の幅方向の両端部に対応して一対設けられている。位置決め部材１２は、屋内側面４ａの幅方向の両端部、かつ、上下方向の下部に配置されている。
【００４６】
上記のように構成される止水装置１の組み立て方法について説明する。
【００４７】
上段止水板４１と中段止水板４２と下段止水板４３との幅方向における両端部が揃えられて、鉛直方向に積層した状態で連結される。また、上段止水板４１と中段止水板４２と下段止水板４３との幅方向における両端部が一対の側面部材４４によってそれぞれ閉塞される。このようにして、止水板４が組み立てられる。
【００４８】
また、連結具１０には、押圧機構７と保持機構９とが組み付けられる。より詳しくは、第１連結具１０Ａの第１平面部１０Ａａには、押圧機構７が組み付けられる。なお、固定機構８は、押圧機構７と組み付けられて一体化されている。また、第２連結具１０Ｂの第１平面部１０Ｂａには、保持機構９が組み付けられる。
【００４９】
そして、止水板４に、押圧機構７と保持機構９とを組み付けた連結具１０が固定される。具体的には、図９に示すように、第１連結具１０Ａが、屋内側から止水板４に組み付けられる。より詳しくは、第１平面部１０Ａａが上段止水板４１および中段止水板４２の屋内側面４１ａ，４２ａに沿って配置され、第２平面部１０Ａｂが上段止水板４１の上面４１ｃに沿って配置される。また、具体的には、第２連結具１０Ｂが、屋外側から止水板４に組み付けられる。より詳しくは、第２連結具１０Ｂの第１平面部１０Ｂａが上段止水板４１および中段止水板４２の屋外側面４１ｂ，４２ｂに沿って配置され、第２平面部１０Ｂｂが上段止水板４１の上面４１ｃに沿って配置される。このとき、第２平面部１０Ａｂの凹型の切欠部と第２平面部１０Ｂｂの凸型の突出部とが係合するように配置される。
【００５０】
そして、図１０に示すように、第１平面部１０Ａａの貫通孔と第１平面部１０Ｂａの貫通孔とに締結部材１１が挿通されて締結される。また、第２平面部１０Ａｂの一対のビス孔と第２平面部１０Ｂｂの一対のビス孔とがそれぞれビスＢ２で上段止水板４１の上面４１ｃにビス止めされる。
【００５１】
このようにして、止水板４に連結具１０が組み付けられて止水装置１が組み立てられる。なお、この止水板４には、例えば、止水板４に連結具１０が組み付けられた後や、止水板４を組み立てた後に、縦止水ゴム５および底面止水ゴム６が組み付けられる。
【００５２】
上記のように構成される止水装置１の使用方法について説明する。
【００５３】
まず、開口部Ｏに止水板４を配置する場合について説明する。ユーザーは、開口部Ｏにおける止水板４の配置位置に、屋外側から止水板４を載置する。具体的に、ユーザーは、底面止水ゴム６を止水板４の配置位置、すなわち、止水板４の幅方向における端部が一対の縦枠部材３１と当接する位置に合わせて、止水板４を傾斜状態とする。このとき、図６に示すように、止水板４が傾斜状態で、保持機構９のアーム９２は、押圧機構７のフック受具７２ａとの係合が解除されている。そして、ユーザーは、止水板４を把持して傾斜状態を維持したまま、固定機構８を一対の枠部材３１に固定する。具体的に、一対の接触部材８１を一対の枠部材３１に対して突っ張らせることで、接触部材８１を枠部材３１に対して固定する。そして、ユーザーは、一方の手で押圧部７２を床面Ｆに押圧しながら、または、一方の手で屋外側から止水板４を床面Ｆおよび縦枠部材３１に押圧しながら、止水板４を傾斜状態から立位状態とする。このとき、図１０に示すように、止水板４が立位状態で、保持機構９のアーム９２は、押圧機構７のフック受具７２ａとの係合が解除されている。そして、ユーザーは、止水板４が立位状態となったら、図５，図８に示すように、保持機構９のアーム９２をフック受具７２ａに係止させた状態で保持する。このようにして、止水板４は、開口部Ｏに配置される。
【００５４】
このように、止水板４を開口部Ｏに配置した状態においては、押圧機構７によって止水板４が床面Ｆに押圧されている。より詳しくは、押圧機構７が止水板４を鉛直方向上方から下方へ押圧する押圧荷重は、回転軸７３を介して連結具１０の第１連結具１０Ａに作用する。第１連結具１０Ａに作用した押圧荷重は、締結部材１１が挿通された、上段止水板４１と隣接する中段止水板４２に作用する。この締結部材１１が中段止水板４２を貫通しているため、押圧荷重は、中段止水板４２の屋内側面４２ａおよび屋外側面４２ｂに均等に作用する。このように、押圧機構７が止水板４を鉛直方向上方から下方へ押圧する押圧荷重は、中段止水板４２の屋内側面４２ａおよび屋外側面４２ｂに均等に作用する。
【００５５】
つぎに、開口部Ｏから止水板４を取り外す場合について説明する。開口部Ｏに配置された止水板４を取り外す際、ユーザーは、一方の手で止水板４を把持した状態で、他方の手でノブ８５を緩める。そして、ユーザーは、固定機構８を縦枠部材３１から取り外し、止水板４を開口部Ｏから取り外す。そして、ユーザーは、止水板４を保管場所まで運搬して収納する。このようにして、開口部Ｏに配置された止水板４は、取り外される。
【００５６】
以上で説明した実施形態に係る連結具１０および止水装置１によれば、押圧機構７が止水板４を鉛直方向上方から下方へ押圧する押圧荷重は、回転軸７３を介して連結具１０の第１連結具１０Ａに作用する。第１連結具１０Ａに作用した押圧荷重を、締結部材１１が挿通された、上段止水板４１と隣接する中段止水板４２に作用させることができる。この締結部材１１が中段止水板４２を貫通しているため、押圧荷重を、中段止水板４２の屋内側面４２ａおよび屋外側面４２ｂに均等に作用させることができる。このように、押圧機構７が止水板４を鉛直方向上方から下方へ押圧する押圧荷重を、中段止水板４２の屋内側面４２ａおよび屋外側面４２ｂに均等に作用させることができる。このように、連結具１０および止水装置１によれば、止水板４を開口部Ｏに配置した状態において、鉛直方向上方から下方への押圧荷重を適切に受けることができる。
【００５７】
また、連結具１０および止水装置１によれば、上段止水板４１と隣接する中段止水板４２のみに締結部材１１を挿通するための貫通孔を形成すればよい。このため、連結具１０および止水装置１は、連結具１０を止水板４に組み付けるために必要な事前の加工を削減することができる。しかも、２本の締結部材１１で締結するため、連結具１０を止水板４に組み付けるために必要な締結部材の数も削減することができる。
【００５８】
上記実施形態においては、止水装置１を開閉扉２が配置される開口部Ｏに配置するものとして説明したが、開閉扉２は止水板４と接触しないため、開閉扉２が配置されない開口部Ｏであっても止水装置１を適用することができる。
【００５９】
また、縦止水ゴム５は、短手方向（高さ方向）全長に亘って配置されているものとして説明したが、これに限定されるものではない。例えば、止水装置１が適用される場所の予測浸水時水位よりも高くなればよい。すなわち、縦止水ゴム５は、止水板４の底面から予測浸水時水位＋αの高さまで配置されていればよい。
【００６０】
また、締結部材１１が上段止水板４１と隣接する中段止水板４２に締結されるものとして説明したが、締結部材１１が締結される位置は、これには限定されない。具体的には例えば、第１連結具１０Ａの第１平面部１０Ａａおよび第２連結具１０Ｂの第１平面部１０Ｂａが、止水板４の上段止水板４１および２段の中段止水板４２の屋内側面４１ａ，４２ａに沿って配置されるようにしてもよい。この場合、締結部材１１は、鉛直方向の下段の中段止水板４２に締結するようにしてもよい。
【００６１】
なお、上述した本発明の実施形態に係る止水装置は、上述した実施形態に限定されず、特許請求の範囲に記載された範囲で種々の変更が可能である。本実施形態に係る止水装置は、以上で説明した各実施形態の構成要素を適宜組み合わせることで構成してもよい。
【符号の説明】
【００６２】
１  止水装置
２  開閉体
３  枠体
３１  縦枠部材（枠部材、方立）
３２  上枠部材
３３  下枠部材
４  止水板
４１  上段止水板
４１ｃ  上面
４２  中段止水板
４３  下段止水板
５  縦止水ゴム（第１止水部材）
６  底面止水ゴム（第２止水部材）
７  押圧機構
７１  当接部
８  固定機構
９  保持機構
１０  連結具
１０Ａ  第１連結具
１０Ａａ  第１平面部
１０Ａｂ  第２平面部
１０Ｂ  第２連結具
１０Ｂａ  第１平面部
１０Ｂｂ  第２平面部
Ｓ  構造物
Ｏ  開口部
Ｗ  壁部
Ｆ  床面
【図１】
0006605270.tif 000002
【図２】
0006605270.tif 000003
【図３】
0006605270.tif 000004
【図４】
0006605270.tif 000005
【図５】
0006605270.tif 000006
【図６】
0006605270.tif 000007
【図７】
0006605270.tif 000008
【図８】
0006605270.tif 000009
【図９】
0006605270.tif 000010
【図１０】
0006605270.tif 000011